(57)【要約】  本発明の被検体固定装置は、固定バンドの使用時にランナがレールから外れるのをより確実に防止するために、固定台に取り付けられるレールと、レールの長手方向に沿ってスライド可能にレールに組み合わされるとともに、被検体を固定台に固定するための固定バンドが接続されるランナとを備え、ランナは、レールの内側に収容されるランナ本体と、レール外へ突出し固定バンドが接続されるバンド接続部とを有しており、レールは、ランナ本体をスライド可能に保持するレール本体と、レール本体から外側へ突出しており、固定台の端部を挟み込むように配置されて固定台に取り付けられる第1及び第2の取付部とを有しており、レール本体には、バンド接続部の通過を許容しつつランナ本体の通過を阻止するスリットが、レール本体の長手方向に沿って設けられていることを特徴とする。
2016158058.tif 000002
【特許請求の範囲】
【請求項１】
固定台に取り付けられるレールと、
前記レールの長手方向に沿ってスライド可能に前記レールに組み合わされるとともに、被検体を前記固定台に固定するための固定バンドが接続されるランナと
を備え、
前記ランナは、前記レールの内側に収容されるランナ本体と、前記レールの外側へ突出し前記固定バンドが接続されるバンド接続部とを有しており、
前記レールは、前記ランナ本体をスライド可能に保持するレール本体と、前記レール本体から外側へ突出しており、前記固定台の端部を挟み込むように配置されて前記固定台に取り付けられる第1及び第2の取付部とを有しており、
前記レール本体には、前記バンド接続部の通過を許容し且つ、前記ランナ本体の通過を阻止するスリットが、前記レール本体の長手方向に沿って設けられており、
前記レール本体の長手方向の前記スリットの両端は閉じており、
前記レール本体の前記第1の取付部と前記第2の取付部との間で前記スリットに対向する部分には、前記ランナの通過を許容する開口が設けられている被検体固定装置。
【請求項２】
前記レール本体の長手方向に直角な断面の形状はC字形であり、
前記開口は、前記レール本体の長手方向の全体に渡って設けられている請求項1記載の被検体固定装置。
【請求項３】
抜け止めピンをさらに備え、
前記レール本体には、前記抜け止めピンが貫通する複数のレールピン孔が、前記レールの長手方向に互いに間隔をおいて設けられており、
前記ランナ本体には、前記抜け止めピンが挿入されるランナピン孔が設けられている請求項1に記載の被検体固定装置。
【請求項４】
前記スリットを跨いで前記レール本体を抱き込んで前記レールに装着され、前記スリットの幅が広がるのを抑えるホルダ
をさらに備えている請求項1に記載の被検体固定装置。
【請求項５】
請求項1に記載の被検体固定装置を備えている医用画像診断装置。
【発明の詳細な説明】
【技術分野】
【０００１】
この発明は、例えばX線CT装置又はMRI装置等に設けられている固定台に被検体を固定するための被検体固定装置、及びそれを用いた医用画像診断装置に関するものである。
【背景技術】
【０００２】
従来の被検体固定装置では、被検体が固定される固定台に、アタッチメント部材を介して固定ベルトが取り付けられている。アタッチメント部材は、面ファスナを介して固定台に取り付けられている。固定ベルトのアタッチメント部材側の端部には、鉤型形状の嵌め込み部が設けられている。アタッチメント部材には、嵌め込み部が嵌め合わされる受け部が設けられている。嵌め込み部は、受け部に嵌め合わされた状態で、受け部に沿って固定台の長手方向へスライド可能である（例えば、特許文献1参照）。
【先行技術文献】
【特許文献】
【０００３】
【特許文献１】特許第4521072号公報
【発明の概要】
【発明が解決しようとする課題】
【０００４】
上記のような従来の被検体固定装置では、嵌め込み部が受け部に嵌め合わされているだけであるため、強い力で固定ベルトが引っ張られた場合などに、嵌め込み部が受け部から外れることがある。また、アタッチメント部材の長手方向の端部に受け部が位置する場合に、固定ベルトがアタッチメント部材に対して斜めに引っ張られると、嵌め込み部の端部から受け部が抜けてしまうことがある。【０００５】
この発明は、上記のような課題を解決するためになされたものであり、固定バンドの使用時にランナがレールから外れるのをより確実に防止することができる被検体固定装置、及びそれを用いた医用画像診断装置を得ることを目的とする。
【課題を解決するための手段】
【０００６】
この発明に係る被検体固定装置は、固定台に取り付けられるレールと、レールの長手方向に沿ってスライド可能にレールに組み合わされるとともに、被検体を固定台に固定するための固定バンドが接続されるランナとを備え、ランナは、レールの内側に収容されるランナ本体と、レール外へ突出し固定バンドが接続されるバンド接続部とを有しており、レールは、ランナ本体をスライド可能に保持するレール本体と、レール本体から外側へ突出しており、固定台の端部を挟み込むように配置されて固定台に取り付けられる第1及び第2の取付部とを有しており、レール本体には、バンド接続部の通過を許容し且つ、ランナ本体の通過を阻止するスリットが、レール本体の長手方向に沿って設けられており、レール本体の長手方向のスリットの両端は閉じており、レール本体の第1の取付部と第2の取付部との間でスリットに対向する部分には、ランナの通過を許容する開口が設けられている。
【発明の効果】
【０００７】
この発明の被検体固定装置は、固定バンドの使用時にランナがレールから外れるのをより確実に防止することができる。
【図面の簡単な説明】
【０００８】
【図１】この発明の実施の形態1によるX線CT装置を一部ブロックで示す構成図
【図２】図1の寝台の要部を示す斜視図
【図３】図2の被検体固定装置の天板への取付途中の状態を示す断面図
【図４】図3の被検体固定装置を示す斜視図
【図５】図4のランナをレールから取り外した状態を示す斜視図
【図６】この発明の実施の形態2による被検体固定装置を示す図
【図７】図6のランナをレールから取り外した状態を示す図
【図８】この発明の実施の形態3による被検体固定装置を示す図
【図９】図8のランナをレールから取り外した状態を示す図
【発明を実施するための形態】
【０００９】
本発明に係る被検体固定装置は、固定台に取り付けられるレールと、前記レールの長手方向に沿ってスライド可能に前記レールに組み合わされるとともに、被検体を前記固定台に固定するための固定バンドが接続されるランナとを備え、前記ランナは、前記レールの内側に収容されるランナ本体と、前記レール外へ突出し前記固定バンドが接続されるバンド接続部とを有しており、前記レールは、前記ランナ本体をスライド可能に保持するレール本体と、前記レール本体から外側へ突出しており、前記固定台の端部を挟み込むように配置されて前記固定台に取り付けられる第1及び第2の取付部とを有しており、前記レール本体には、前記バンド接続部の通過を許容し且つ、前記ランナ本体の通過を阻止するスリットが、前記レール本体の長手方向に沿って設けられており、前記レール本体の長手方向の前記スリットの両端は閉じており、前記レール本体の前記第1の取付部と前記第2の取付部との間で前記スリットに対向する部分には、前記ランナの通過を許容する開口が設けられている。
【００１０】
また、前記レール本体の長手方向に直角な断面の形状はC字形であり、前記開口は、前記レール本体の長手方向の全体に渡って設けられている。
【００１１】
また、抜け止めピンをさらに備え、前記レール本体には、前記抜け止めピンが貫通する複数のレールピン孔が、前記レールの長手方向に互いに間隔をおいて設けられており、前記ランナ本体には、前記抜け止めピンが挿入されるランナピン孔が設けられている。
【００１２】
また、前記スリットを跨いで前記レール本体を抱き込んで前記レールに装着され、前記スリットの幅が広がるのを抑えるホルダをさらに備えている。
【００１３】
また、本発明に係る被検体固定装置は、医用画像診断装置は前記被検体固定装置を備えている。
【００１４】
以下、この発明を実施するための形態について、図面を参照して説明する。
【００１５】
＜実施の形態1＞
図1はこの発明の実施の形態1によるX線CT装置1を一部ブロックで示す構成図である。X線CT装置1は、スキャンガントリ部100と操作卓120とを有している。
【００１６】
スキャンガントリ部100は、X線管101、回転円盤102、コリメータ103、寝台105、X線検出器106、データ収集装置107、ガントリ制御装置108、寝台制御装置109、及びX線制御装置110を有している。
【００１７】
X線管101は、寝台105上に載せられた被検体にX線を照射する装置である。コリメータ103は、X線管101から照射されるX線の放射範囲を制限する装置である。X線管101及びX線検出器106は、回転円盤102に搭載されている。回転円盤102には、寝台105上に載せられた被検体が入る開口部104が設けられている。また、回転円盤102は、被検体の周囲を回転する。
【００１８】
X線検出器106は、X線管101に対向して配置されている。また、X線検出器106は、被検体を透過したX線を検出することにより、透過X線の空間的な分布を計測する装置である。さらに、X線検出器106は、多数のX線検出素子を回転円盤102の回転方向に沿って配列したもの、若しくは回転円盤102の回転方向と回転軸方向との2次元に配列したものである。
【００１９】
データ収集装置107は、X線検出器106で検出されたX線量をデジタルデータとして収集する装置である。ガントリ制御装置108は、回転円盤102の回転を制御する装置である。寝台制御装置109は、寝台105の上下前後動を制御する装置である。X線制御装置110は、X線管101に入力される電力を制御する装置である。
【００２０】
操作卓120は、入力装置121、画像演算装置122、記憶装置123、システム制御装置124、及び表示装置125を有している。入力装置121は、被検体氏名、検査日時、及び撮影条件などを入力するための装置である。入力装置121には、例えばキーボード及びポインティングデバイス等が設けられている。
【００２１】
画像演算装置122は、データ収集装置107から送出される計測データを演算処理してCT画像再構成を行う装置である。表示装置125は、画像演算装置122で作成されたCT画像を表示する装置である。表示装置125としては、例えばCRT（Cathode-Ray Tube）又は液晶ディスプレイ等が用いられている。
【００２２】
記憶装置123は、データ収集装置107で収集したデータ、及び画像演算装置122で作成されたCT画像の画像データを記憶する装置である。記憶装置123としては、HDD（Hard Disk Drive）等が用いられている。システム制御装置124は、これらの装置121，122，123，125、ガントリ制御装置108、寝台制御装置109、及びX線制御装置110を制御する装置である。
【００２３】
上記の制御装置、演算装置及び記憶部の機能は、例えば複数のコンピュータを用いて実現することができる。
【００２４】
X線制御装置110は、入力装置121から入力された撮影条件、特にX線管電圧やX線管電流などに基づき、X線管101に入力される電力を制御する。これにより、X線管101は、撮影条件に応じたX線を被検体に照射する。X線検出器106は、X線管101から照射され被検体を透過したX線を多数のX線検出素子で検出し、透過X線の分布を計測する。
【００２５】
ガントリ制御装置108は、入力装置121から入力された撮影条件、特に回転速度などに基づいて、回転円盤102を回転させる。寝台制御装置109は、入力装置121から入力された撮影条件、特に螺旋ピッチなどに基づいて、寝台105を動作させる。
【００２６】
X線管101からのX線照射とX線検出器106による透過X線分布の計測とが回転円盤102の回転とともに繰り返されることによって、様々な角度からの投影データが取得される。取得された投影データは、画像演算装置122に送信される。画像演算装置122は、送信された投影データを逆投影処理することによって、CT画像を再構成する。再構成して得られたCT画像は、表示装置125に表示される。
【００２７】
図2は図1の寝台105の要部を示す斜視図である。寝台105は、被検体が固定される固定台としての天板11を有している。天板11の平面形状は、幅方向（図のX軸方向）の寸法よりも前後方向（図のZ軸方向）の寸法が長い長方形である。即ち、天板11の長手方向は、図のZ軸方向であり、天板11上の被検体の体軸方向である。
【００２８】
天板11の幅方向の両端部には、被検体を天板11に固定するための一対の被検体固定装置20aが設けられている。被検体固定装置20aは、天板11に取り付けられているレール21と、レール21の長手方向に沿ってスライド可能にレール21に組み合わされているランナ22と、ランナ22に接続されている可撓性の固定バンド23とを有している。
【００２９】
レール21は、天板11の長手方向に沿って連続して配置されている。即ち、レール21の長手方向は、天板11の長手方向と同じである。レール21の長手方向のランナ22の寸法は、レール21の長手方向の寸法よりも小さい。天板11の幅方向両側の固定バンド23同士を結合することにより、被検体が天板11に固定される。
【００３０】
図3は図2の被検体固定装置20aの天板11への取付途中の状態を示す断面図であり、天板11の長手方向に直角な断面を示している。図4は図3の被検体固定装置20aを示す斜視図、図5は図4のランナ22をレール21から取り外した状態を示す斜視図である。
【００３１】
レール21及びランナ22は、例えばポリプロピレン等の樹脂により構成されている。
ランナ22は、レール21の内側に収容される円柱状のランナ本体22aと、レール21外へ突出している平板状のバンド接続部22bとを有している。固定バンド23は、例えば縫製によりバンド接続部22bに接続されている。
【００３２】
レール21は、ランナ本体22aをスライド可能に保持する断面C字形のレール本体21aと、レール本体21aから突出している平板状の第1の取付部21bと、第1の取付部21bに対してレール本体21aの周方向に間隔をおいてレール本体21aから突出している平板状の第2の取付部21cとを有している。
【００３３】
レール21の長手方向に直角な断面において、第1の取付部21bは、レール本体21aの第1の端部から径方向外側へ突出しており、第2の取付部21cは、レール本体21aの第2の端部から径方向外側へ突出している。第1及び第2の取付部21b，21cは、レール本体21aの長手方向、即ちレール21の長手方向の全体に渡って連続して設けられている。
【００３４】
レール本体21aの第1の取付部21bと第2の取付部21cとの間の部分には、ランナ22全体の通過を許容する開口21dが設けられている。開口21dは、レール本体21aの長手方向の全体に渡って設けられている。開口21dの幅寸法、即ち第1及び第2の取付部21b，21cのレール本体21a側の端部間の距離は、ランナ本体22aの直径よりも大きい、又はレール本体21aを弾性変形させることでランナ本体22aの直径よりも大きくなる。
【００３５】
レール本体21aには、スリット21eが設けられている。スリット21eは、レール21の長手方向に沿って設けられている。開口21dは、スリット21eに対向している。スリット21eの幅寸法は、バンド接続部22bの厚さ寸法よりも大きく、ランナ本体22aの直径よりも小さい。これにより、スリット21eは、バンド接続部22bの通過を許容しつつ、ランナ本体22aの通過を阻止する。
【００３６】
スリット21eは、レール本体21aの長手方向の両端部を残して中間部のみに設けられている。即ち、レール本体21aの長手方向のスリット21eの両端は閉じている。このため、ランナ22は、レール21の長手方向の端部からレール21内に挿入することはできず、開口21dからのみレール21内に挿入することができる。
【００３７】
天板11の幅方向端部の上面11aには、第1の天板面ファスナ24が固定されている。天板11の幅方向端部の下面11bには、第2の天板面ファスナ25が固定されている。第1及び第2の天板面ファスナ24，25は、例えば接着により天板11に固定されている。
【００３８】
第1の取付部21bには、第1の天板面ファスナ24に結合される第1のレール面ファスナ26が接続されている。第2の取付部21cには、第2の天板面ファスナ25に結合される第2のレール面ファスナ27が接続されている。第1及び第2のレール面ファスナ26，27は、例えば縫製により第1及び第2の取付部21b，21cにそれぞれ接続されている。
【００３９】
レール21は、第1及び第2の取付部21b，21c間に天板11の幅方向端部を挟み込むように配置される。そして、第1の取付部21bは、第1の天板面ファスナ24，第1のレール面ファスナ26を介して、天板11に着脱可能に取り付けられる。また、第2の取付部21cは、第2の天板面ファスナ25，第2のレール面ファスナ27を介して、天板11に着脱可能に取り付けられる。
【００４０】
このような被検体固定装置20aでは、両端が閉じたスリット21eがレール本体21aに設けられており、レール本体21aの第1の取付部21bと第2の取付部21cとの間でスリット21eに対向する部分に開口21dが設けられている。このため、レール21の長手方向へのランナ22の移動は、スリット21eの両端でレール本体21aにより規制されている。
【００４１】
また、レール21を天板11に取り付けた状態では、第1及び第2の取付部21b，21cと天板11の幅方向端部とにより、レール21から抜ける方向へのランナ22の移動も規制されている。
【００４２】
さらに、スリット21eの両端は閉じており、レール本体21aのスリット21e両端に隣接する部分は繋がっているため、スリット21eの幅が広がるようなレール本体21aの変形が抑制されている。
【００４３】
以上の構成により、固定バンド23の使用時にランナ22がレール21から外れるのをより確実に防止することができる。
【００４４】
また、レール21を天板11から取り外せば、ランナ22をレール21から容易に取り出すことができ、固定バンド23の交換も容易に行える。
【００４５】
さらに、レール21は、第1の天板面ファスナ24，第2の天板面ファスナ25，第1のレール面ファスナ26，第2のレール面ファスナ27により天板11に取り付けられているので、固定バンド23の使用時に、第1の天板面ファスナ24，第1のレール面ファスナ26間、又は第2の天板面ファスナ25，第2のレール面ファスナ27間にせん断力が作用するような方向へ固定バンド23が引っ張られても、レール21が天板11から外れにくい。
【００４６】
さらにまた、第1のレール面ファスナ26，第2のレール面ファスナ27がフレキシブルに動くことにより、スリット21eの幅が広がるような力がレール本体21aに加わるのを防ぐことができる。
【００４７】
また、開口21dがレール本体21aの長手方向の全体に渡って設けられているので、構成が簡単であり、製造が容易である。
【００４８】
さらに、レール本体21aの断面がC字形であり、ランナ本体22aの断面の外形が円形であるため、ランナ22をレール21に対してスムーズにスライドさせることができる。
【００４９】
＜実施の形態2＞
次に、図6はこの発明の実施の形態2による被検体を天板11に固定するための一対の被検体固定装置20bを示す図、図7は図6のランナ22をレール21から取り外した状態を示す図である。実施の形態2の被検体固定装置20bは、実施の形態1の構成に加えて、複数本の抜け止めピン28をさらに有している。
【００５０】
また、レール本体21aの側面には、抜け止めピン28が貫通する複数のレールピン孔21fが、レール21の長手方向に互いに間隔をおいて設けられている。レールピン孔21fは、レール21の長手方向に平行な一直線上に等間隔で配置されている。
【００５１】
ランナ本体22aの側面には、抜け止めピン28が挿入される複数のランナピン孔22cが設けられている。ランナピン孔22cは、ランナ22がレール21に組み合わされたときのレール21の長手方向に平行な一直線上に、レールピン孔21fと同じ間隔で配置されている。他の被検体固定装置20bの構成、及びX線CT装置全体の構成は、実施の形態1と同様である。
【００５２】
このような被検体固定装置20bによっても、実施の形態1と同様の効果を得ることができる。また、ランナ22の位置を調節した後に、抜け止めピン28をレールピン孔21f及びランナピン孔22cに挿入することにより、固定バンド23の使用時のランナ22のレール21からの外れをより確実に防止することができる。さらに、レール21の長手方向へのランナ22の移動を阻止することができ、作業性を向上させることができる。
【００５３】
なお、ピン孔21f，22cの間隔及び数は、特に限定されない。
【００５４】
また、ピン孔21f，22cは、必ずしも等間隔で配置しなくてもよい。
【００５５】
＜実施の形態3＞
次に、図8はこの発明の実施の形態3による被検体を天板11に固定するための一対の被検体固定装置20cを示す図、図9は図8のランナ22をレール21から取り外した状態を示す図である。実施の形態3の被検体固定装置20cは、実施の形態1の構成に加えて、断面C字形の一対のホルダ29をさらに有している。
【００５６】
各ホルダ29は、スリット21eを跨いでレール本体21aを抱き込んでレール21に装着されている。これにより、ホルダ29は、スリット21eの幅が広がるのを抑えている。また、ホルダ29は、レール21の長手方向のバンド接続部22bの両側でバンド接続部22bに接している。他の被検体固定装置20cの構成、及びX線CT装置全体の構成は、実施の形態1と同様である。
【００５７】
このような被検体固定装置20cによっても、実施の形態1と同様の効果を得ることができる。また、レール21にホルダ29を装着したことにより、スリット21eの幅が広がるのが防止され、スリット21eを通してランナ22がレール21から外れるのをより確実に防止することができる。
【００５８】
さらに、ホルダ29がレール21に装着された状態で、ホルダ29がある程度の力でレール本体21aを締め付けるようにすることで、レール21の長手方向へのランナ22の移動を阻止することができ、作業性を向上させることができる。
【００５９】
なお、ホルダ29の個数は、1個でも、3個以上であってもよい。
【００６０】
また、ホルダ29は、バンド接続部22bに対してレール21の長手方向に間隔をおいて配置してもよい。
【００６１】
さらに、実施の形態2のレール21に実施の形態3のホルダ29を装着してもよい。
【００６２】
さらにまた、上記の例では、開口21dがレール本体21aの長手方向の全体に渡って設けられているが、ランナを通すことができれば、レールの長手方向の一部のみに開口を設け、他の部分は塞いでもよい。これにより、レールの強度を高くすることができる。
【００６３】
また、1本のレールに2個以上のランナを配置してもよい。その場合、ランナ毎に独立したスリットを設けても、共通のスリットに2個以上のランナを通してもよい。
【００６４】
さらに、固定台の片側に配置されるレールを、その長手方向に2本以上に分割してもよい。その場合、隣り合うレールを連続して配置しても、間隔をおいて配置してもよい。
【００６５】
さらにまた、第1及び第2の取付部は、レール本体の長手方向に断続的に設けてもよい。
【００６６】
また、被検体固定装置は、固定台の幅方向の片側のみに設け、反対側には固定バンドを止める部品のみを配置してもよい。
【００６７】
さらに、上記の例では、医用画像診断装置としてX線CT装置を示したが、医用画像診断装置はこれに限定されるものではなく、例えばMRI装置等であってもよい。
【符号の説明】
【００６８】
1  X線CT装置（医用画像診断装置）、11  天板（固定台）、20a、20b、20c  被検体固定装置、21  レール、21a  レール本体、21b  第1の取付部、21c  第2の取付部、21d  開口、21e  スリット、21f  レールピン孔、22  ランナ、22a  ランナ本体、22b  バンド接続部、22c  ランナピン孔、23  固定バンド、28  抜け止めピン、29  ホルダ
【図１】
2016158058.tif 000003
【図２】
2016158058.tif 000004
【図３】
2016158058.tif 000005
【図４】
2016158058.tif 000006
【図５】
2016158058.tif 000007
【図６】
2016158058.tif 000008
【図７】
2016158058.tif 000009
【図８】
2016158058.tif 000010
【図９】
2016158058.tif 000011
【手続補正書】
【提出日】平成29年8月31日(2017.8.31)
【手続補正１】
【補正対象書類名】明細書
【補正対象項目名】００２３
【補正方法】変更
【補正の内容】
【００２３】
上記の制御装置、演算装置及び記憶装置の機能は、例えば複数のコンピュータを用いて実現することができる。
【国際調査報告】
2016158058.tif 000012
2016158058.tif 000013